(57)【要約】      （修正有）【課題】タンクが本体の側方に設けられ、上方への引き抜きによって本体から分離される除湿器を提供する。【解決手段】除湿器は、本体１０と主タンク２０とを備えている。本体は、副タンクとポンプと仕切壁１５と、ハウジング１７１、位置決め部材１７２、引込可能部材１７３、弾性部材１７４、を含む引込機構とを有している。引込機構の導管部は、主タンクに貫通して進入するように設けられているので、ポンプは、副タンクから主タンクへ水を引き入れることができる。主タンクは、本体の横に設けられ、上方へ引き抜かれて本体から取り外すことができる。主タンクは、第１傾斜部２３を有している。主タンクが上方へ移動させられるとき、第１傾斜部が引込機構を押圧するので、導管部は、引っ込んで、主タンクが上方へ引き抜かれるときの移動経路から退去する。主タンクが本体の横に設けられているので、主タンクは、注水を促進する。【選択図】図５
0003228512.tif 000002
【実用新案登録請求の範囲】
【請求項１】
本体と主タンクとを備え、
前記本体は、
ラジエータと、
前記ラジエータの下方に並んで配置されており、排出口が形成された集水器と、
前記排出口と並んでいる受け口と前記受け口に連通する第２貯蔵空間とを有し、前記集水器の下方に配置された副タンクと、
前記第２貯蔵空間に連通する吸引端と排水端とを有するポンプと、
第１面と前記第１面と反対向きの第２面とを有する仕切壁と、
前記仕切壁を選択的に貫通する接触部及び前記仕切壁を選択的に貫通し且つ前記ポンプの前記排水端に連通する導管部を有して前記仕切壁の前記第１面に移動可能に設けられた引込可能部材と前記接触部及び前記導管部が前記仕切壁を貫通して前記仕切壁から突き出ることを促進するように前記引込可能部材に連結された弾性部材とを有する引込機構とを有し、
前記主タンクは、前記本体に着脱可能に設けられ、前記本体の前記仕切壁の前記第２面の横に配置され、前記本体に対して上方へ移動可能であることによって前記本体から取り外されるようになっており、
前記主タンクは、
主貯蔵空間と、
前記仕切壁に対向する第３面及び前記主貯蔵空間に連通して前記引込可能部材の前記導管部が前記主貯蔵空間に進入するように選択的に貫通する貫通孔を有して前記本体の前記仕切壁に対向する側壁と、
前記側壁の第３面に形成され、上に向かうにつれて前記仕切壁から離れている第１傾斜部とを有し、
前記主タンクが前記本体に対して上方に移動させられ、前記第１傾斜部が前記引込可能部材の前記接触部に接触するときに、前記第１傾斜部は、前記引込可能部材の前記接触部を前記仕切壁から離れる方向へ押圧することによって、前記引込可能部材の前記導管部を前記主貯蔵空間及び前記本体の前記貫通孔からしだいに引っ込ませる除湿器。
【請求項２】
請求項１に記載の除湿器において、
前記引込機構は、内部空間及び前記内部空間に連通して前記仕切壁と対向する連通開口を有し、前記仕切壁の前記第１面に設けられたハウジングをさらに有し、
前記引込機構の前記引込可能部材は、前記内部空間に移動可能に設けられ、
前記引込機構の前記弾性部材は、前記ハウジング及び前記引込可能部材に連結されて、前記引込可能部材の前記接触部及び前記導管部が前記連通開口を貫通して前記連通開口から突き出ることを促進する除湿器。
【請求項３】
請求項２に記載の除湿器において、
前記引込機構は、前記ハウジングに設けられ、前記内部空間に配置された位置決め部材をさらに有し、
前記引込機構の前記引込可能部材は、前記位置決め部材に嵌められ、前記位置決め部材に沿って移動可能となっている除湿器。
【請求項４】
請求項１乃至３の何れか１つに記載の除湿器において、
前記引込機構の前記引込可能部材の移動経路は、直線であって、前記仕切壁に対して傾斜している除湿器。
【請求項５】
請求項４に記載の除湿器において、
前記移動経路は、前記仕切壁へ向かう方向において下方に傾いている除湿器。
【請求項６】
請求項１乃至３の何れか１つに記載の除湿器において、
前記主タンクは、
前記側壁の前記第３面に形成され、前記第１傾斜部の下方に並んで配置され、上に向かうにつれて前記仕切壁に接近する第２傾斜部と、
前記側壁の前記第３面に形成された格納凹部とをさらに有し、
前記引込可能部材の前記導管部は、前記主タンクが前記本体に対して下方へ移動させられ、前記主タンクの前記第２傾斜部が前記引込可能部材の前記接触部に接触するときに、前記格納凹部に受け入れられ、
前記第２傾斜部は、前記主タンクが前記本体に対して下方へ移動させられ、前記主タンクの前記第２傾斜部が前記引込可能部材の前記接触部に接触するときに、前記接触部に対して摺動して、前記引込可能部材の前記接触部を前記仕切壁から離れる方へ押圧することによって、前記引込可能部材の前記導管部を前記主タンクの移動経路からしだいに引っ込ませる除湿器。
【請求項７】
請求項１乃至３の何れか１つに記載の除湿器において、
前記本体は、前記仕切壁の前記第２面に連結された囲い壁をさらに有し、
前記囲い壁及び前記仕切壁は、それらの間に受容空間を囲んでおり、
前記主タンクは、上方へ着脱可能に前記受容空間に設けられている除湿器。
【請求項８】
請求項１乃至３の何れか１つに記載の除湿器において、
前記主タンクは、前記側壁に形成され、上下に延び、前記主貯蔵空間に配置され、前記主貯蔵空間に連通する案内溝と前記案内溝に移動可能に設けられた浮き球とをさらに有し、
前記除湿器は、
前記本体の前記仕切壁に設けられた第１検出部材と、
前記主タンクの前記浮き球に設けられた第２検出部材とさらに備え、
前記第１検出部材及び前記第２検出部材の一方は、前記第１検出部材及び前記第２検出部材の他方を検出するように構成されている除湿器。
【考案の詳細な説明】
【技術分野】
【０００１】
本考案は、家電機器、特に除湿器に関する。
【背景技術】
【０００２】
除湿器の動作原理は、基本的には以下の通りである。空気がファンによって周囲から除湿器へ引き込まれ、空気が熱交換器を通過し、それにより空気中の蒸気が凝縮して水滴となる。それから、水滴は、タンク内へ落下する。こうして、乾燥し且つ昇温した空気が除湿器から排出されるので、空間内の湿度が低下する。
【０００３】
前述の動作原理及び重力の下、従来の除湿器では、タンクは、熱交換器のラジエータの下に設けられなければならず、ラジエータから落下する水滴は、タンクに受け入れられることができる。換言すると、タンクは、除湿器の底に配置され、除湿器の本体から横方向へ取り外されなければならない。しかしながら、タンクが満杯になった後は、ユーザは、かがんでタンクを横方向に引き抜き、それからタンクを持ち上げなければならない。
【０００４】
そのような構造は除湿器のタンクと本体との分離を困難にすると共に満杯のタンクは重いので、前述の動きは、ユーザの腰を負傷させたり、タンクをひっくり返させたりするかもしれない。
【考案の概要】
【考案が解決しようとする課題】
【０００５】
本考案の主目的は、タンクが本体の側方に設けられ、タンクが上方への引き抜きによって本体から分離される引込式導管を備える除湿器を提供することにある。さらに、相互作用する引込機構及びタンクの傾斜面によって、導管部は、タンクが本体から分離される際にタンクの移動経路から退去でき、タンクが本体に設けられた後にはタンクへ戻ることができる。
【課題を解決するための手段】
【０００６】
除湿器は、本体と主タンクとを備えている。本体は、ラジエータと集水器と副タンクとポンプと仕切壁と引込機構とを有している。集水器は、ラジエータの下方に並んで配置されており、排出口が形成されている。副タンクは、集水器の下方に配置され、受け口と第２貯蔵空間とが形成されている。受け口は、排出口と並んでおり、第２貯蔵空間は、受け口と連通している。ポンプは、吸引端と排水端とを有している。吸引端は、第２貯蔵空間と連通している。仕切壁は、第１面と第１面と反対向きの第２面とを有する。引込機構は、引込可能部材と弾性部材とを有している。引込可能部材は、仕切壁の第１面に移動可能に設けられており、接触部と導管部とを有している。接触部は、仕切壁を選択的に貫通する。導管部は、仕切壁を選択的に貫通する。導管部は、ポンプの排水端と連通する。弾性部材は、接触部及び導管部が仕切壁を貫通して仕切壁から突き出ることを促進するように引込可能部材に連結されている。主タンクは、本体に着脱可能に設けられ、本体の仕切壁の第２面の横に配置されている。主タンクは、本体に対して上方へ移動可能であり、それによって本体から取り外される。主タンクは、主貯蔵空間と側壁と第１傾斜部とを有している。側壁は、本体の仕切壁と対向しており、第３面と貫通孔とを有している。第３面は、仕切壁と対向している。貫通孔は、主貯蔵空間と連通している。引込可能部材の導管部は、貫通孔を選択的に貫通して主貯蔵空間に進入する。第１傾斜部は、側壁の第３面に形成されている。第１傾斜部は、上に向かうにつれて前記仕切壁から離れている。主タンクが本体に対して上方に移動させられ、第１傾斜部が引込可能部材の接触部に接触するときには、第１傾斜部は、引込可能部材の接触部を仕切壁から離れる方向へ押圧し、それによって、引込可能部材の導管部は、主貯蔵空間及び本体の貫通孔からしだいに引っ込められる。
【考案の効果】
【０００７】
副タンクが集水器の下方に配置されているので、副タンクは、落下する水を一時的に受け入れることができる。引込可能部材の導管部が主タンクの側壁の貫通孔を貫通して主タンクの貯蔵空間に進入し、ポンプの排水端が導管部と連通しているので、ポンプは、副タンクから主タンクへ水を引き入れることができる。そのため、主タンクを除湿器の下端に設けるように制約するという重力による制約を、主タンクは受けなくてよい。その結果、主タンクを本体の横に設けることができ、鉛直方向の力で抜き取ることができるので、本考案は、操作を簡易にして、主タンクがひっくり返ることを防止し、ユーザの腰の負傷を防止する。
【図面の簡単な説明】
【０００８】
【図１】図１は、本考案に係る除湿器の斜視図である。
【図２】図２は、主タンクを本体から取り外した、図１の除湿器の斜視図である。
【図３】図３は、図１の除湿器の分解立体図である。
【図４】図４は、図１の除湿器の引込機構の分解立体図である。
【図５】図５は、図１の引込機構及び主タンクの断面図である。
【図６】図６は、図１の引込機構及び主タンクの別の断面図である。
【図７】図７は、主タンクが上方へ引き抜かれている状態を示す、図５の引込機構及び主タンクの別の断面図である。
【図８】図８は、主タンクが上方へ引き抜かれている状態を示す、図６の引込機構及び主タンクの別の断面図である。
【図９】図９は、図１の主タンクの斜視図である。
【図１０】図１０は、図１の主タンクの分解立体図である。
【図１１】図１１は、図１の除湿器の第１検出部材及び第２検出部材の断面図である。
【考案を実施するための形態】
【０００９】
図１，２に関して、本考案に係る、引込式導管を備える除湿器が提供される。除湿器は、本体１０と主タンク２０とを備えている。
【００１０】
図３，４を参照されたい。本体１０は、ラジエータ１１と、集水器１２と、副タンク１３と、ポンプ１４と、仕切壁１５と、囲い壁１６と、引込機構１７とを備えている。
【００１１】
ラジエータ１１は、空気と熱を交換して、空気中の蒸気を凝縮させるように構成されている。集水器１２は、ラジエータ１１の下に並んで設けられ、排出口１２１を有している。副タンク１３は、集水器１２の下に設けられており、互いに連通する受け口１３１及び副貯蔵空間を有している。受け口１３１は、排出口１２１と対向している。ポンプ１４は、吸引端１４１と排水端１４２とを有している。吸引端１４１は、副貯蔵空間と連通している。排水端１４２は、引込機構１７と連結されている。仕切壁１５は、互いに反対向きの第１面及び第２面を有している。囲い壁１６は、仕切壁１５に連結され、第２面に設けられおり、囲い壁１６及び仕切壁１５は共に、受容空間１６１を囲んでいる。厳密には、仕切壁１５は、本体１０の一部であり、引込機構１７の横に配置されている。仕切壁１５の第１面は、ハウジング１７１内に配置されている。この実施形態では、ラジエータ１１、集水器１２、副タンク１３、ポンプ１４及び引込機構１７は、仕切壁１５の第１面の横に配置されているが、囲い壁１６は、仕切壁１５の第２面の横に配置されている。
【００１２】
図４，５，６を参照されたい。この実施形態では、引込機構１７は、ハウジング１７１と、位置決め部材１７２と、引込可能部材１７３と、弾性部材１７４とを有している。それに加えて、この実施形態では、引込可能部材１７３は移動によって引っ込められるが、別の実施形態では、引込可能部材１７３は回転によって引っ込められ、そのため、引込機構１７の構造は、それらに限定されない。
【００１３】
ハウジング１７１は、仕切壁１５の第１面に設けられており、内部空間と連通開口とを有している。連通開口は、内部空間と連通し、仕切壁１５と対向している。位置決め部材１７２は、ハウジング１７１の内部空間に設けられている。引込可能部材１７３は、仕切壁１５の第１面に移動可能に設けられている。厳密には、引込可能部材１７３は、仕切壁１５へ接近したり、仕切壁１５から離れたりするように移動可能である。この実施形態では、引込可能部材１７３は、ハウジング１７１の内部空間内で移動可能であり、位置決め部材１７２に嵌められ、位置決め部材１７２に沿って移動する。引込可能部材１７３は、接触部１７３１と導管部１７３２とを有している。接触部１７３１は、選択的に仕切壁１５を貫通する。導管部１７３２は、選択的に仕切壁１５を貫通し、排水端１４２と連通する。弾性部材１７４は、引込可能部材１７３と連結され、それにより、接触部１７３１及び導管部１７３２が仕切壁１５を貫通することを促進する。この実施形態では、弾性部材１７４は、ハウジング１７１及び引込可能部材１７３に接触して連結し、それにより、接触部１７３１及び導管部１７３２がハウジング１７１の連通開口から外へ出ることを促進する。
【００１４】
尚、この実施形態では、引込可能部材１７３の移動経路は、直線状であり、仕切壁１５に対して傾斜している。厳密には、引込可能部材１７３の移動経路は、仕切壁１５へ向かう方向において下方に傾いている。そのため、導管部１７３２の下端が仕切壁１５を貫通し、それにより、導管部１７３２の下端から流出する水は、仕切壁１５の第１面の方へは逆流できないが、これに限定されない。
【００１５】
図５〜９を参照されたい。主タンク２０は、本体１０に着脱可能に設けられ、本体１０の横に配置されている。厳密には、主タンク２０は、仕切壁１５の第２面に設けられている。主タンク２０は、本体１０に対して移動可能であり、そのため、本体１０から分離することができる。この実施形態では、主タンク２０は、上方へ移動可能であり、それにより受容空間１６１から引き離される。この実施形態では、主タンク２０は、主貯蔵空間２１と側壁２２と第１傾斜部２３と第２傾斜部２４と格納凹部２５とを有している。
【００１６】
側壁２２は、本体１０の仕切壁１５と平行に対向しており、第３面と貫通孔２２１とを有している。側壁２２の第３面は、仕切壁１５と対向している。貫通孔２２１は、主貯蔵空間２１と連通している。導管部１７３２は、貫通孔２２１を介して、選択的に主貯蔵空間２１内へ進入する。
【００１７】
第１傾斜部２３は、側壁２２の第３面に形成され、上に向かうにつれて仕切壁１５から離れている。主タンク２０が本体１０に設けられているときには、第１傾斜部２３は、仕切壁１５を貫通している接触部１７３１の位置に対応している。主タンク２０が本体１０から上方へ移動する際には、第１傾斜部２３は接触部１７３１に接触し、それによって、第１傾斜部２３は、引込可能部材１７３を仕切壁１５から離れる方へ押圧し、それにより、導管部１７３２は、主貯蔵空間２１及び貫通孔２２１からしだいに後退していく。第２傾斜部２４も、側壁２２の第３面に形成されており、上に向かうにつれて仕切壁１５に近づいている。第２傾斜部２４は、第１傾斜部２３の下方に並んで配置されている。主タンク２０が本体１０に対して下方に移動させられるときに、第２傾斜部２４は、接触部１７３１に接触して、接触部１７３１に対して摺動し、そのため、第２傾斜部２４は、引込可能部材１７３を仕切壁１５から離れる方へ押圧し、それにより、導管部１７３２は、仕切壁１５の第１面の方へしだいに引っ込んでいく。
【００１８】
格納凹部２５は、側壁２２の第３面に形成されている。主タンク２０が本体１０に対して下方へ移動し、第２傾斜部２４が接触部１７３１に接触するときに、格納凹部２５は、導管部１７３２を受け入れることができる。
【００１９】
主タンク２０を本体１０に取り付ける工程において、まず第２傾斜部２４が接触部１７３１に接触するように移動させられ、それから主タンク２０が下方へ移動させられる。最初は、導管部１７３２は、格納凹部２５に受け入れられるが、主タンク２０が下方へ動かされた後は、第２傾斜部２４は、導管部１７３２を格納凹部２５から仕切壁１５の第１面の方へ押し出す。そのため、導管部１７３２は、主タンク２０が下方へ移動できるように、主タンク２０の移動経路から退去する。主タンク２０は、第１傾斜部２３が接触部１７３１に接触するまで下方への移動を継続し、第１傾斜部２３も接触部１７３１に対して下方へ移動するので、第１傾斜部２３のうち仕切壁１５から離れた部分も接触部１７３１と接触する。同時に、弾性部材１７４は、引込可能部材１７３の接触部１７３１が仕切壁１５からしだいに突き出るように引込可能部材１７３を仕切壁１５の方へ押圧していき、引込可能部材１７３の導管部１７３２は、しだいに貫通孔２２１を貫通して、主貯蔵空間２１へ進入する。
【００２０】
そして、図１０，１１を参照されたい。この実施形態では、主タンク２０は、案内溝２６と浮き球２７とをさらに有し、引込式導管を備える除湿器は、第１検出部材３１と第２検出部材３２とをさらに備える。
【００２１】
案内溝２６は、側壁２２に配置され、主貯留空間２１内に配置され、上下に延びている。浮き球２７は、案内溝２６内で移動可能となっている。案内溝２６は、主貯蔵空間２１と連通しており、これにより主貯蔵空間２１の水が案内溝２６へ流入でき、その結果、浮き球２７は、主貯蔵空間２１内の水位に応じて上下に移動することができる。第１検出部材３１は、仕切壁１５に設けられている。第２検出部材３２は、浮き球２７に設けられ、その位置は、選択的に第１検出部材３１と一致する。厳密には、第２検出部材３２は浮き球２７に設けられているので、第２検出部材３２は、主貯蔵空間２１の水位に応じて浮き球２７と共に上下に移動し得る。そのため、第２検出部材３２の位置は選択的に第１検出部材３１と一致するので、第１検出部材３１は、第２検出部材３２に位置に応じて反応することができ、それにより、主タンク２０のオーバーフローが回避される。
【００２２】
したがって、導管部１７３２が側壁２２の貫通孔２２１を貫通して主貯蔵空間２１内へ進入し、ポンプ１４の吸引端１４１が副タンク１３及びポンプ１４の排水端１４２と連通し、ポンプ１４の排水端１４２が導管部１７３２と連通するので、ポンプ１４は、副タンク１３から主タンク２０へ水を引き入れることができる。そのため、主タンク２０を除湿器の下端に設けるように制約するという重力による制約を、主タンク２０は受けなくてよい。その結果、主タンク２０は、本体１０の横に設けることができ、鉛直方向の力で抜き取ることができるので、本考案は、操作を簡易にして、主タンク２０がひっくり返ることを防止し、ユーザの腰の負傷を防止する。
【図１】
0003228512.tif 000003
【図２】
0003228512.tif 000004
【図３】
0003228512.tif 000005
【図４】
0003228512.tif 000006
【図５】
0003228512.tif 000007
【図６】
0003228512.tif 000008
【図７】
0003228512.tif 000009
【図８】
0003228512.tif 000010
【図９】
0003228512.tif 000011
【図１０】
0003228512.tif 000012
【図１１】
0003228512.tif 000013